(57)【特許請求の範囲】
【請求項１】
ガラスをその型押し温度に加熱するための炉と、炉に隣接する型押し室と、炉を通って型押し室にガラスを送る搬送装置と、搬送面上の型押し室内に配置される上部型押し枠と、搬送装置から上部型押し枠にガラスを持ち上げるために気体差圧を発生するための手段と、上部型押し枠に対して気体差圧によって保持されるガラスを圧縮により型押しするために上部型押し枠と協働するフレーム形の下部型押し枠と、下部型押し枠を位置決めおよび取り外しするための複数手段と、型押しされたガラスを上部型押し枠から回収し、後段に設けられた冷却部にこれを搬送するための水平移動搬送フレームとを含む、ガラスの型押し装置において、フレーム形の下部型押し枠は、相対する径方向に従って、水平搬送装置（２）と上部型押し枠（１４）との間の空間を開放する位置と、閉じた型押しフレームを形成する作動位置とにそれぞれ導くことができる、少なくとも二個の型押しフレーム部品からなり、型押しフレーム部品が、それらの先端に心合わせ装置（４６，４７）を備えることを特徴とする、ガラスの型押し装置。
【請求項２】
型押しフレーム部品が、支持プレート（５５）上を水平に摺動するように取り付けられることを特徴とする、請求項１に記載の型押し装置。
【請求項３】
型押しフレーム部品が、レバー手段（３２，３３，３４）およびリンク手段（３６，３７，３８，３９）によって互いに結合され、共通のサーボモータ（４４）によって、それらの二つの最終位置に導くことができることを特徴とする、請求項１または２に記載の型押し装置。
【請求項４】
少なくとも一つの型押しフレーム部品が、水平方向に移動可能であり、さらに回転軸受（５３）に取り付けられ、ガラスを上部型押し枠に押しつける閉位置に導くことができることを特徴とする、請求項１から３のいずれか一項に記載の型押し装置。
【請求項５】
型押しフレーム部品が、これらのフレーム部品の主要方向に平行なロッド（６９）に取り付けられ、サーボモータ（７２）が介在する適切な伝達手段（７３，７４，７５）を介して開位置および作動位置において回転可能であることを特徴とする、請求項１に記載の型押し装置。
【請求項６】
型押しフレーム部品用の回転軸受（７０，７１）が、ガラスおよび上部型押し枠の通過開口部（８０）を備えた支持プレート（７９）に取り付けられること、支持プレート（７９）が、作動位置で型押しフレーム部品が載せられる支持部材（８１）を、開口部（８０）に沿って備えること、
を特徴とする、請求項５に記載の型押し装置。
【発明の詳細な説明】
【０００１】
【発明の属する技術分野】
本発明は、ガラスをその型押し温度に加熱するための炉と、炉に隣接する型押し室と、炉を通って型押し室にガラスを送る搬送装置と、搬送面上の型押し室内に配置される上部型押し枠と、搬送装置から上部型押し枠にガラスを持ち上げるために気体差圧を発生するための手段と、上部型押し枠に対して気体差圧によって保持されるガラスを圧縮によって型押しするために上部型押し枠と協働するフレーム形の下部型押し枠と、下部型押し枠を位置決めおよび取り外しするための複数手段と、型押しされたガラスを上部型押し枠から回収し、後段に設けられた冷却部にこれを搬送するための水平移動搬送フレームとを含む、ガラスの型押し装置に関する。
【０００２】
【従来の技術】
このタイプの型押し装置は、欧州特許第０２３７２３１Ｂ１号から既知である。この特許による既知の型押し装置の場合、ローラコンベヤからなるガラス搬送面上の下部型押し枠は、上部型押し枠の傍らの第一の位置から、ガラスを固定する上部型押し枠の下にある第二の位置に向けて水平に移動できるように取り付けられる。上部型押し枠をガラスと共に下部型押し枠の上に下げ、次いで再び最初の位置に上げる圧縮型押し操作の後で、下部型押し枠はいわゆる型押し室の外に横に移動し、次の圧縮型押し操作まで加熱室で待機位置に留まる。下方の圧縮型押し枠は、このように型押し操作が終わるたびに冷却するわけではないが、これは、型押しされたガラスを冷却部に搬送するために型押し枠を続いて用い、冷却部でガラスと共に型押し枠を冷却するという既知の他の型押し装置の場合と同様である。型押し枠専用の成形フレームと、型押しされたガラスの搬送専用の搬送フレームとを交互に用いることによって、成形フレームを比較的高い温度に連続的に保持できるので、特にガラスの形状が複雑である場合に著しく型押し操作が容易になる。
【０００３】
【発明が解決しようとする課題】
しかしながら既知の装置の場合、待機位置で下部型押し枠を受け取るために型押し部の傍らに閉じた加熱室を備えることが必要であることから、型押し部を収容する加熱室は片側からしか出入りできない。そのため型押しプロセスの監視や、必要な工具を変えたり型押しプロセスで不可欠な他の作業を行ったりする場合の作業法が複雑になる。しかも下部型押し枠は圧縮型押し操作の前後に比較的長い距離を水平に移動しなければならないので、型押しサイクルが全体的に長くなる。
【０００４】
本発明の目的は、特に型押しサイクルの長さを短縮可能な上記のタイプの装置を獲得することにある。さらに、いわゆる型押し室へのアクセスを容易にするものとする。
【０００５】
【課題を解決するための手段】
本発明によれば、フレーム型の下部型押し枠は、相対する径方向に従って、水平搬送面と上部型押し枠との間の空間を開放する位置と、閉じた型押しフレームを形成する作動位置とにそれぞれ導くことができる、少なくとも二個の型押しフレーム部品からなる。
【０００６】
下部型押し枠が、主に四角形のガラスを型押しするために構成されている場合、この型押し枠は四隅で四つの型押しフレーム部品に分割される。複数の型押しフレーム部品は、たとえばすべり軸受に取り付け可能であり、また個々の駆動手段によって、あるいは共通のサーボモータを用いるとともにレバー付きの適切な機械手段を介して、互いに結合しながら径方向に接近させたり離したりすることができる。この場合、個々の部品がいずれかの方向に移動する距離を比較的短くし、たとえば毎回数センチメートルだけにすることができる。
【０００７】
下部型押しフレームはまた、個々の型押しフレーム部品が、各部品の主要方向に平行に配向された軸の周囲を、型押しフレームが開いた位置で上方または下方に向かって回転式に取り付けられて回転制御手段を備えるように構成することもできる。
【０００８】
本発明の他の特徴ならびに長所は、請求項ならびに図面に関する発明の好適な実施形態の下記説明から明らかになろう。
【０００９】
【発明の実施の形態】
本発明による装置の基本構造は、自動車ガラス用の型押し強化装置の水平断面図として主な構成要素を概略的かつ部分的に示す図１から明らかである。装置の水平連続炉１は、連続駆動される搬送ローラ２からなるガラス３の水平コンベヤを含む。型押し室６は、炉１に隣接する。ローラコンベヤ２は、型押し室６に続く。搬送ローラ２の下には垂直に配向されたダクト７が設けられ、その横断面はガラス３の面積に対応し、ガラスが型押し室６内に位置するとき、約６５０℃に加熱された高温気流が下方からガラスに対してダクトを通じて送られる。この気流は気体差圧を発生し、それによって搬送ローラ２からガラス３が上昇し、上部型押し枠にガラスを導くことができる。
【００１０】
勿論、必要な気体差圧を別の方法で発生することも可能であって、たとえば上部型押し枠を含む通風装置による吸入あるいは下方からガラスに配向した個別の加圧気流によって搬送ローラ２上のガラスを引きつけることができる。気体差圧を発生するためのこのような装置は、同じく先行技術の一部をなすものである。
【００１１】
搬送ローラ２の上で、型押し室内に配置された型押し枠１４（図２）は、下方に配向されたその凸面を垂直方向に上昇することができる。同様に搬送ローラ２上に配置された四個の型押しフレーム部品９，１０，１１，１２は、上部型押し枠に対して求心的で、双方向矢印Ｆの方向に、それぞれ水平摺動移動可能であるように構成される。閉位置において、部品９〜１２は下部型押し枠をフレーム形に構成する。開位置において、部品９〜１２は、ガラス３および上部型押し枠１４が型押しフレーム部品の間を通過できる範囲で互いに離れる。
【００１２】
型押し室６の傍らには急冷強化部１５があり、型押しされたガラスは、送風ケーソン１６によってそこで急冷される。しかしながら、急冷強化部１５の代わりに冷却部を設け、臨界温度の範囲でより緩やかな適切な冷却速度によって部分強化または無応力の状態に達するように、型押しされたガラスをそこで冷却することができる。型押し操作の後で、ガラスは、型押しされたガラスの輪郭に対応する搬送フレーム２０を用いて上部型押し枠から回収され、開口部８を介して型押し室６から急冷強化部１５に搬送される。搬送フレーム２０は、レール２３を移動可能なキャリッジ２２上の適切なバーホルダ２１を介して取り付けられる。急冷強化部１５で冷却されたガラスは次に、搬送装置２０〜２３によって急冷強化部１５から次の排出部に導かれ、強化されたガラスは、排出部で搬送フレーム２０からはずされる。
【００１３】
図２は、型押し操作の際に介在する複数の連続する方法段階を、垂直断面図２Ａ〜２Ｄで概略的に示すものである。断面図２Ａは、型押し室の内部のガラス３がその最終位置に到達し、ダクト７を通過する高温気流によって搬送ローラ２から持ち上げられ、上部型押し枠１４の型押し凸面に導かれる瞬間における型押し工具の位置を示している。上部型押し枠１４は、この場合、搬送ローラ２の上に載るガラス上のやや下がった位置にある。型押しフレーム部品１１，１２は、その外側位置にあるので、上部型押し枠１４は型押しフレーム部品１１，１２の間を通過することができる。
【００１４】
ガラス３が気流作用によって型押し枠１４に押しつけられると、型押し枠１４は型押しフレーム部品１１，１２の上の高さまで上がる。このような型押し段階における型押し工具の位置を断面図２Ｂに示す。上部型押し枠１４は、その上部最終位置に到達し、ガラス３は、高温の上昇気流によって型押し枠１４の成形凸面に保持される。ガラス３は既に大部分が型押し面上にあり、型押しフレーム９，１１，１２によって縁のゾーンをプレス成形すればよいだけである。このため複数の部品９，１０，１１，１２は、閉じた型押しフレームを構成するように互いに近づく。
【００１５】
次いで、高温気流を保持しながら型押し枠１４をガラス３と共に下降し、ガラス３は、閉じた型押しフレームでプレスされる。こうした型押し操作を断面図２Ｃに示す。
【００１６】
いわゆるプレス成形プロセスの直後に、搬送フレーム２０が上部型押し枠１４の下に導かれ、型押しフレーム部品９，１０，１１，１２は互いに離れる。その後、型押し枠１４は、完全に型押しされたガラス３と共に型押しフレーム部品の間を下降する。型押し操作に引き続くこの段階を断面図２Ｄに示す。ここで示した配置および方法の代わりに、型押し枠１４の上昇後、上部型押し枠１４および下部型押し枠９，１０，１１，１２の間の中間スペースに搬送フレーム２０を導入することもできる。ガラス３は、高温気流の遮断によって、また場合によっては上部型押し枠の凸面に形成された開口部を通る送風によって搬送フレーム２０上に配置され、上記のように型押し室から急冷強化部に搬送される。
【００１７】
型押しフレーム部品９，１０，１１，１２の取付および水平移動に関する構成例を図３〜５で詳しく示す。型押しフレーム部品９〜１２は、平らな下部スライド面をそれぞれ有し、外側に突出するガイドシュー２６を各々がその先端に備え、ガイドシューによって平らな支持プレート２７上に載せられている。支持プレート２７は、形状および寸法が、開いた型押しフレーム部品の内部に画定される面積に対応する中央開口部８２を備える。型押しフレーム部品は、それらの端面の中央に配置されたガイドアーム２８，２９，３０，３１を備える。ガイドアーム２８，２９，３０は、曲りレバー３２，３３，３４にそれぞれ係合し、曲りレバーは、リンク３６，３７，３８を介してレール４０に連結される。型押しフレーム部品１２のガイドアーム３１は、リンク３９を介して直接レール４０に連結される。ガイドアーム２８〜３１は、ガイドローラ４２の間を摺動するようにそれぞれ取り付けられる。サーボモータは、レール４０に作用を及ぼし、リンクおよび上記のレバーを介して型押しフレーム部品を開いた位置と閉じた位置の間で移動させる。
【００１８】
図５が示すように、型押しフレーム部品は、それらが結合する端に、上記の場合には凹凸システム４６，４７からなる心合わせ装置を備えている。このようにして、閉じた状態で型押しフレーム部品の成形面がでこぼこを形成せずにそれらの接合点のレベルで互いに合体するようにする。
【００１９】
分割された型押しフレームの変更例を図６，７に示す。ここでは分割型押しフレームを示しており、その側面部品５１は、水平摺動に加えて上方に回転運動することができる。型押しフレームにおけるこのような回転側面部は、時に、対応する端域でとりわけ強くガラスが型押しされる場合に必要になる。
【００２０】
側面型押しフレーム部品は、図では左側の型押しフレーム部品５１だけを示しているが、回転軸受５３を介してそれぞれプレート５４に取り付けられ、プレート５４は、ガイドアーム５６および上記の実施形態に対応するレバー構成を用いて支持プレート５５上を水平移動するように取り付けられる。また適切な作動装置をプレート５４上に設け、回転部品５１をその二つの最終位置に導く。これらの作動装置は、簡略化のために、ここでは型押し室の内部に配置されるジャッキ５７，５８として示しており、そのピストンロッドは、回転部品５１に結合するアーム５９に連結されている。しかしながら実際には、作動ジャッキは加熱型押し室の外部に配置され、回転部品５１へのピストン行程の伝達は、適切なリンクおよびレバー構成を介して行われる。この実施形態の四個の型押しフレーム部品は、回転部品５１の下降位置でまず近づけられ、凸形の上部型押し枠がこの型押しフレーム上に下降する。次いで作動装置５７，５８の作動により回転部品５１が上昇し、それによってガラス側面の端域は、その最終的な形状に型押しされる。
【００２１】
本発明による装置の他の実施形態を図８，９に示す。この場合、型押しフレームは四個の型押しフレーム部品６２，６３，６４，６５からなり、これらは、上部型押し枠とガラスの搬送面との間の空間を開放するように、水平軸の周囲を上方に回転するべくそれぞれ取り付けられている。このため型押しフレーム部品６２は、軸受７０，７１に回転式に取り付けられたロッド６９に、固定手段６８を介して硬く結合されている。型押しフレーム部品６２は、サーボモータ７２によってロッド７３および歯車７４，７５を介して所望の位置へ回転によって導かれる。同様に、型押しフレーム部品６３はサーボモータ７６によって、型押しフレーム部品６４はサーボモータ７７によって、型押しフレーム部品６５はサーボモータ７８によって回転する。
【００２２】
軸受７０，７１および他の型押しフレーム部品ロッドの対応する軸受は、支持プレート７９上に配置される。ここでもまた支持プレート７９は、ガラスが通過するための大型開口部８０を有する。この開口部８０に沿って型押しフレーム部品の輪郭に対応する支持部材８１が配置され、型押しフレーム部品は、それらの作動位置でこの支持部材に支持される。
【図面の簡単な説明】
【図１】本発明による型押し強化装置の水平断面図である。
【図２Ａ】型押しサイクルの各段階を、型押し枠の対応する位置と共に示す図である。
【図２Ｂ】型押しサイクルの各段階を、型押し枠の対応する位置と共に示す図である。
【図２Ｃ】型押しサイクルの各段階を、型押し枠の対応する位置と共に示す図である。
【図２Ｄ】型押しサイクルの各段階を、型押し枠の対応する位置と共に示す図である。
【図３】分割した下部型押し枠の構成を型押し枠部品の水平移動と共に示す図である。
【図４】図３のラインＩＶ−ＩＶによる断面図である。
【図５】図３のラインＶ−Ｖによる拡大断面図である。
【図６】水平移動部品を備えた下部型押し枠と、型押し枠の側面部品の回転取付を示す図である。
【図７】図６のラインＶＩＩ−ＶＩＩによる断面図である。
【図８】分割した下部型押し枠の実施形態を、型押し枠の複数部品の回転取付と共に示す図である。
【図９】図８のラインＩＸ−ＩＸによる断面図である。
【符号の説明】
１  炉
２  水平搬送装置
３  ガラス
６  型押し室
７  ダクト
９，１０，１１，１２；５１；６２，６３，６４，６５  型押しフレーム部品
１４  上部型押し枠
２０  フレーム
３２，３３，３４  曲りレバー
３６，３７，３８，３９  リンク
４４，７２  サーボモータ
４６，４７  心合わせ装置
５３  回転軸受
５７，５８  ジャッキ
６９  ロッド
７０，７１  軸受
７３，７４，７５  伝達手段
７９  支持プレート
８０  開口部
８１  支持部材
【図１】
0004209498.tif 000002
【図２Ａ】
0004209498.tif 000003
【図２Ｂ】
0004209498.tif 000004
【図２Ｃ】
0004209498.tif 000005
【図２Ｄ】
0004209498.tif 000006
【図３】
0004209498.tif 000007
【図４】
0004209498.tif 000008
【図５】
0004209498.tif 000009
【図６】
0004209498.tif 000010
【図７】
0004209498.tif 000011
【図８】
0004209498.tif 000012
【図９】
0004209498.tif 000013